(57)【要約】      （修正有）【課題】自己支持型ケーブルに損傷を与えずに、該ケーブルに螺旋状ケーブルハンガーを確実に固定できる固定金具を提供する。【解決手段】一対の挟持片２，２´と、相対する該挟持片２，２´を互いに締め付けるねじ杆３とを具備する。挟持片は２，２´、自己支持型ケーブル１に掛止した、螺旋状ケーブルハンガーａの掛止部分を奥端５´ａに接触させるようにして係合する切欠５，５´と、該切欠５，５´の両側に前記自己支持型ケーブル１の支持線部１ａとケーブル部１ｂ間に先端６ａ，６´ａを係合して前記支持線部１ａを挟持する挟持爪６，６´を具備する。【選択図】図３
2006353012.tif 000002
【特許請求の範囲】
【請求項１】
一対の挟持片と、相対して配した該挟持片を互いに締付けるねじ杆とを備え、挟持片は、自己支持型ケーブルに掛止した、螺旋状ケーブルハンガーの掛止部分を奥端に接触させるようにして係合する切欠と、該切欠の両側に前記自己支持型ケーブルの支持線部とケーブル部間に先端を係合して前記支持線部を挟持する挟持爪とを備えた、螺旋状ケーブルハンガーの自己支持型ケーブル用固定金具。
【発明の詳細な説明】
【技術分野】
【０００１】
本発明は、ケーブルを支持するために支持線代りの自己支持型ケーブルに巻き付けて用いる螺旋状ケーブルハンガーを、前記自己支持型ケーブルに締付けるために用いる、螺旋状ケーブルハンガーの自己支持型ケーブル用固定金具に関するものである。
【背景技術】
【０００２】
支持線に螺旋状ハンガーを固定する構造のものとしてはボルトとナットによって互いに締付けた一対の挟持片間に螺旋状ハンガーと支持線を介在させ、ハンガー側を一方の挟持片に設けた係合溝に、支持線側を他の一方の挟持片に設けた係合溝に係合させて構成したものがある（例えば、特許文献１）。
【０００３】
そして、前記の支持線に代えて自己支持型ケーブルに螺旋状ハンガーを巻き付けて使用する場合は、例えば、前記構造のもの（固定具）を用いる等しており、そのためには自己支持型ケーブルの構造上、該ケーブルと螺旋状ハンガーを一対の挟持片で締付けることができないので、自己支持型ケーブルの支持線部とケーブル部との間に存する接続部（頸部）に二次加工を施して窓孔を設け、該窓孔を通じて一方の前記挟持片を自己支持型ケーブルに組合わせ、該挟持片に相対する他の一方の前記挟持片とで螺旋状ハンガーと自己支持型ケーブルの支持線とを締付け、挟持する構造を採用している。
【０００４】
【特許文献１】特開２０００−１８８８１７号公報
【発明の開示】
【発明が解決しようとする課題】
【０００５】
前記従来例は、自己支持型ケーブルに二次加工して窓孔を作るものであるから、その作業が煩雑であるばかりでなく、作業精度によってケーブル部に損傷を与えることも考えられ、必ずしも実用的とはいえない。
【０００６】
本発明は、従来例の斯様な欠点に着目し、自己支持型ケーブルが備えている形態をそのまま利用して作業性も不都合のなく、螺旋状ケーブルハンガーの自己支持型ケーブルに固定できる固定金具を提供すべく創案したものである。
【課題を解決するための手段】
【０００７】
一対の挟持片と、相対して配した該挟持片を互いに締付けるねじ杆とを備え、挟持片は、自己支持型ケーブルに掛止した、螺旋状ケーブルハンガーの掛止部分を奥端に接触させるようにして係合する切欠と、該切欠の両側に前記自己支持型ケーブルの支持線部とケーブル部間に先端を係合して前記支持線部を挟持する挟持爪とを備えた構造のものとしたのである。
【発明の効果】
【０００８】
本発明によれば、自己支持型ケーブルに螺旋状ケーブルハンガーを確実に固定できることは勿論、自己支持型ケーブルに損傷を与えることなく、該ケーブルにハンガーを固定することができ、しかも、ねじ杆の締付け操作だけで足りるから作業性の有る固定金具を提供できる。
【実施例】
【０００９】
図面は本発明に係る螺旋状ケーブルハンガーの自己支持型ケーブル用固定金具の一実施例を示し、図１は使用状態の正面図、図２は図１の平面図、図３は図１の側面図、図４は第二実施例の正面図、図５は第三実施例の正面図、図６は第四実施例の分解斜視図である。
【００１０】
本発明に係る固定金具Ａは、支持線部１ａとケーブル部１ｂを接続部（頸部）１ｃを介して接続し、前記支持線部１ａとケーブル部１ｂとの間に凹入部１ｄが形成された自己支持型ケーブル１に巻き付けて、該自己支持型ケーブル１の直下においてケーブル吊下するために用いる螺旋状ケーブルハンガーａを該自己支持型ケーブル１に固定するために適用するもので、一対の挟持片２，２´と、相対する挟持片２，２´を互いに締め付けるねじ杆３とを備えたものである。
【００１１】
挟持片２，２´は、該挟持片２，２´同士を上端の接続部片４を介して互いに接続した断面Ｕ字形の挟持枠２Ａの部片で構成したもの（第一乃至第三の各実施例）や、挟持片２，２´同士が互いに別体にして構成したもの（第四実施例）があるが、挟持片２，２´を挟持枠２Ａに備えた相対する部片で構成するものは、該挟持片２，２´同士を前記ねじ杆３で締付けるに際し、弾性変形することが望ましい。
【００１２】
挟持片２，２´は、前記自己支持型ケーブル１（の支持線部１ａ）に掛止した螺旋状ケーブルハンガーａの掛止部分を奥端５ａ，５´ａに接触させるようにして係合する切欠５，５´と、該切欠５，５´の両側に自己支持型ケーブル１の前記支持線部１ａとケーブル部１ｂ間、すなわち、凹入部１ｄに先端６ａ，６´ａを係合して前記支持線部１ａを挟持する（前記ねじ杆３で締め付けることにより）挟持爪６，６´を備えたもので、挟持爪６，６´の内縁は断面ほぼ円形の前記螺旋状ケーブルハンガーａの形態に合わせて半円状を成してこれにハンガーａが係合するようにしてある。
【００１３】
そして、一方の挟持片２の上部側には前記ねじ杆３を貫通する透孔７を設け、他の一方の挟持片２´には該透孔７と一致する位置にしてねじ孔８を設け、前記透孔７を設けた一方の挟持片２側の前記切欠５の奥端５ａは凹凸状と成し、この凹凸状形態を、第一実施例のものは単一の方形突片１０を、第二実施例は波状と成して一対の半円状突片１０ａを、また、第三実施例は一対の方形突片１０，１０をそれぞれ設けることによって構成し、これら方形突片１０と半径状突片１０ａに切欠５を係合貫通させた前記ケーブルハンガーａが係止するようにして、切欠５内における、自己支持型ケーブルに沿う該ハンガーａの移動を防ぎ、ハンガーａの自己支持型ケーブル１に対する安定した固定状態を得るようにしたものである。
【００１４】
しかして、自己支持型ケーブル１の支持線部１ａ上に掛止した（載せた）螺旋状ケーブルハンガーａの部分を挟持枠２Ａの部片を構成する挟持片２，２´に相対して設けた切欠５，５´に係合させる一方、挟持枠２Ａを弾性変形させて挟持片２，２´の挟持爪６，６´を、自己支持型ケーブル１の支持線部１ａとケーブル部１ｂとの間に係合し、ねじ杆３を透孔７を通じてねじ孔８に螺合、締付けることにより自己支持型ケーブル１に対する螺旋状ケーブルハンガーａの固定状態を得ることができる。
【００１５】
図６で示す第四実施例のものは、前記の通り、挟持片２，２´を互いに別体にし、その別体を利用して支持線部１ａとケーブル部１ｂとの間の凹入部１ｄに挟持爪６，６´を係合し、挟持片２，２´の挟持爪６，６´側の一端（下端）に対応する他の一端（上端）に屈曲して設けた屈曲部片９，９´を互いに一致させるようにして、前記各実施例と同様、透孔７を通じてねじ孔８にねじ杆３を螺合、締付けることによって螺旋状ケーブルハンガーａの固定状態を得るものである。
【００１６】
この実施例は、挟持爪６，６´の、支持線部１ａとケーブル１ｂ間の係合（密嵌状態が望ましいが）と屈曲部片９，９´同士の圧接（ねじ杆３の締付けによる）並びにねじ杆３の外径と透孔７の内径がほぼ等径にあることにより、当該固定状態は尚一層確実に維持することができる。
【００１７】
なお、挟持片２´側のねじ孔８を省略して単なるねじ杆３の貫通孔と成し、該貫通孔より突出するねじ杆３にナットを螺合するようにしても不都合はない。要するに、請求項でいうねじ杆はナットと螺合する、所謂ボルトと称するものも含む。
【図面の簡単な説明】
【００１８】
【図１】使用状態の正面図。
【図２】図１の平面図。
【図３】図１の側面図。
【図４】第二実施例の正面図。
【図５】第三実施例の正面図。
【図６】第四実施例の分解斜視図。
【符号の説明】
【００１９】
１            自己支持型ケーブル
１ａ          支持線部
１ｂ          ケーブル部
２，２´      挟持片
３            ねじ杆
５，５´      切欠
５ａ，５´ａ  奥端
６，６´      挟持爪
６ａ，６´ａ  先端
ａ            螺旋状ケーブルハンガー
【図１】
2006353012.tif 000003
【図２】
2006353012.tif 000004
【図３】
2006353012.tif 000005
【図４】
2006353012.tif 000006
【図５】
2006353012.tif 000007
【図６】
2006353012.tif 000008